(57)【要約】【課題】ビル装置の停電通報に対して輪番停電か否かの特定を正確に行うことができる遠隔監視装置の提供する。【解決手段】  住所２３Ａａ１毎に予め輪番停電グループ２３Ａａ２が設定され、この輪番停電グループ毎の停電時期を定めた輪番停電の予定情報を入力して格納する輪番停電情報格納テーブル２３Ａａと、ビルマスターテーブル２３と前記輪番停電情報格納テーブル２ ３ Ａ ａの住所２３Ａａ１に基づき、輪番停電グループ２３Ｂａ３を仮設定する輪番停電情報仮登録テーブル２３Ｂａと、この輪番停電情報仮登録テーブル２３Ｂａの輪番停電発生時期を、端末装置１１Ａ,１２Ａから送信される停電及び復電の時刻を参照して輪番停電グループを特定する輪番停電情報本登録テーブル２３Ｂｂとを備えたものである。【選択図】図１
2013102261.tif 000002
【特許請求の範囲】
【請求項１】
複数の建物毎に設置され、該建物のビル設備の少なくとも停電及び復元を含む異常を検出する端末装置と、この端末装置と通信回線を介して遠隔的に接続される監視センターとで構成され、前記監視センターに、少なくとも建物の名称と建物の住所及び建物における監視対象である前記ビル設備の名称を、予め格納するビルマスターテーブルを備えた遠隔監視装置において
前記住所毎に予め輪番停電グループが設定され、この輪番停電グループ毎の停電時期を定めた輪番停電の予定情報を入力して格納する輪番停電情報格納テーブルと、
前記ビルマスターテーブルと前記輪番停電情報格納テーブルの前記住所に基づき、前記輪番停電グループを仮設定する輪番停電情報仮登録テーブルと、
この輪番停電情報仮登録テーブルの前記輪番停電発生時期を、前記端末装置から送信される停電及び復電の時刻を参照して前記輪番停電グループを特定する輪番停電情報本登録テーブルと
を備えたことを特徴とする遠隔監視装置。
【請求項２】
請求項１記載の遠隔監視装置において、
前記輪番停電情報仮登録テーブルにおける前記輪番停電グルゞ・プが複数設定された建物に対し、前記輪番停電発生時期に該当する前記輪番停電グループを削除するようにしたことを特徴とする遠隔監視装置。
【発明の詳細な説明】
【技術分野】
【０００１】
本発明は、遠隔監視装置に係り、特に、輪番停電のグループ特定に好適な遠隔監視装置に関する。
【背景技術】
【０００２】
従来、配電設備に事故が発生した場合、事故による停電が発生した設備に対して電量設備グループを特定することで、電力系統の事故によるものを判定するものが提案されている（特許文献１参照）。
【先行技術文献】
【特許文献】
【０００３】
【特許文献１】特開昭６３−３１６６１９号公報
【発明の概要】
【発明が解決しようとする課題】
【０００４】
電力会社の発電能力に対し、電力需用が増大して電力不足による停電が発生することが懸念されている。
【０００５】
そこで、複数の配電系統を複数のグループに割り当て、複数のグループの少なくとも１グループに対し、所定の時間帯で電源供給を停止させる輪番停電を行い、広域で発生する停電を防止させることが考えられる。
【０００６】
但し、輪番停電のグループは、特許文献１記載の電力系統とは合致していないとともに、特にビル設備の遠隔監視における管理は、ビルの住所に基づいているため、同一丁目名に配電系統が複数存在して２つの輪番停電グループがある場合、グループの特定が事前にできない問題があり、ビルに設置される端末装置から遠隔監視センターへ送信される停電通報が輪番停電が判断できないため、無駄な停電復旧指示を行う虞れがある。
【０００７】
本発明の目的は、ビル装置の停電通報に対して輪番停電か否かの特定を正確に行う遠隔監視装置を提供することになる。
【課題を解決するための手段】
【０００８】
上記目的を達成するために、本発明は、複数の建物毎に設置され、該建物のビル設備の少なくとも停電及び復元を含む異常を検出する端末装置と、この端末装置と通信回線を介して遠隔的に接続される監視センターとで構成され、前記監視センターに、少なくとも建物の名称と建物の住所及び建物における監視対象である前記ビル設備の名称を、予め格納するビルマスターテーブルを備えた遠隔監視装置において、前記住所毎に予め輪番停電グループが設定され、この輪番停電グループ毎の停電時期を定めた輪番停電の予定情報を入力して格納する輪番停電情報格納テーブルと、前記ビルマスターテーブルと前記輪番停電情報格納テーブルの前記住所に基づき、前記輪番停電グループを仮設定する輪番停電情報仮登録テーブルと、この輪番停電情報仮登録テーブルの前記輪番停電発生時期を、前記端末装置から送信される停電及び復電の時刻を参照して前記輪番停電グループを特定する輪番停電情報本登録テーブルとを備え、前記輪番停電情報仮登録テーブルにおける前記輪番停電グループが複数設定された建物に対し、前記輪番停電発生時期に該当する前記輪番停電グループを削除するようにしたものである。
【発明の効果】
【０００９】
本発明によれば、住所に対する輪番停電グループを予め入力しておくことで、輪番停電グループが複数設定されていても、建物に対する正しい輪番停電グループの登録を、多大な手間を掛けることなく正確に行える。
【００１０】
また、建物に対する輪番停電グループを正確に登録できるので、停電の原因が輪番停電によるものか否かの判断を的確に行える。
【図面の簡単な説明】
【００１１】
【図１】本発明の実施形態例に係る遠隔監視システムの全体構成を示すブロック図である。
【図２】該遠隔監視システムで監視サーバ装置が輪番停電グループを特定する際に行う処理手順を示すフローチャートである。
【図３】該監視センターによって作成される輪番停電情報格納テーブルの一例を示す説明図である。
【図４】該監視センターによって作成される輪番停電情報仮登録テーブルの一例を示す説明図である。
【図５】該監視センターによって作成される輪番停電情報本登録テーブルの一例を示す説明図である。
【図６】該監視センターによって作成される停電情報テーブルの一例を示す説明図である。
【発明を実施するための形態】
【００１２】
以下、本発明の実施の形態を、図面を参照しながら説明する。
【００１３】
図１において、複数のエリアの一つである監視エリア1 Aに図示しない複数の建物にそれぞれには端末装置１１Ａ、１２Ａが設けられ、端末装置１１Ａ、１２Ａは、入力電圧の有無で停電発生や停電復旧を検知している。
【００１４】
また、これらの端末装置１１Ａ、１２Ａは、一般電話回線４を介して監視センター２Ａに遠隔的に接続されている。。
【００１５】
また、監視センター２Ａは、一般電話回線４との接続を制御する回線制御装置２１と、この回線制御装置２１に接続され、監視センター２Ａ内に設けられる各機器の処理や演算等の制御を行うとともに、監視対象の建物に対して着脱自在に接続される汎用パソコン３を介して、輪番停電グループの設定を行う輪番停電グループ設定部２２Ａを備える制御装置２２と、この輪番停電グループ設定部２２Ａで設定された輪番停電情報を記憶する輪番停電情報格納部２３Ａ、及び端末装置１１Ａ、１２Ａから受信した停電発生時刻と停電復旧時刻を記憶する停電情報格納部２３Ｂを備えた記憶装置２３と、を備えている。
【００１６】
ここで、図３に示す輪番停電情報格納部２３Ａにて記憶する輪番停電情報格納テーブル２３Ａａの構成は、住所２ ３ Ａ ａ １ と輪番停電グループ名２ ３ Ａ ａ２と、輪番停電時間帯（１）２ ３ Ａ ａ３と、輪番停電時間帯（２ ）２ ３ Ａ ａ ４とで構成され、住所２ ３ Ａ ａ １は、住所情報であり、輪番停電グループ名２ ３ Ａ ａ２はステップＳＡ１にて入力したグループ名称で、輪番停電時間帯（１）２ ３ Ａ ａ３と輪番停電時間帯（２）２ ３ Ａ ａ４はステップＳＡ１にて入力した輪番停電を実施する時刻帯が書き込まれる。
【００１７】
次に、図４に示す停電情報格納部２３Ｂにて記憶する輪番停電情報仮登録テーブル２３Ｂａの構成は、ビル名称２３Ｂａ１とビル住所２３Ｂａ２と輪番停電グループ名２３Ｂａ３と輪番停電グループ登録プラグ２３Ｂａ４で構成され、ビル名称２３Ｂａ１は、端末装置が設置されているビルの名称で、ビル住所２３Ｂａ２は、端末装置が設置されているビルの住所、輪番停電グループ名２３Ｂａ３は、端末が設置されているビルが該当する仮登録された輪番停電グループの名称、輪番停電グループ登録プラグ２３Ｂａ４は、輪番停電グループの登録状況を示しており、例えば仮登録であれば、コードＯと書き込まれる。
【００１８】
次に、図５に示す停電情報格納部２３Ｂにて記憶ずる輪番停電情報本登録テーブル２３Ｂｂの構成は、ビル名称２３Ｂｂ１とビル住所２３Ｂｂ２と輪番停電グループ名２３Ｂｂ３と輪番停電グループ登録プラグ２３Ｂｂ４で構成され、ビル名称２３Ｂｂ１は、端末装置が設置されているビルの名称で、ビル住所２３Ｂｂ２は、端末装置が設置されているビルの住所、輪番停電グループ名２３Ｂｂ３は、端末が設置されているビルが該当する仮登録または本登録された輪番停電グループの名称、輪番停電グループ登録プラグ２３Ｂｂ４は、輪番停電グループの登録状況を示しており、例えば本登録であれば、コード１と書き込まれる。
【００１９】
輪番停電情報を登録するための入力を行う汎用ＰＣ３が設けられている。ここで、汎用ＰＣ３は、制御装置２２に接続可能な通信機能を有している。
【００２０】
次に、監視対象の建物を輪番停電グループに割り当てる動作の説明を図２のフローチャートを用いて説明する。
【００２１】
汎用ＰＣ３にて輪番停電グループ情報を手入力し、輪番停電（ステップＳＢ１）、制御装置２２を介して記憶装置２３に記憶される輪番停電グループ情報を管理する図４に示すテーブル２３Ａａに該当データを書き込む（ステップＳＢ２）。
【００２２】
次に、図示しない監視対象の建物の情報を管理するビルマスターテーブルの住所と輪番停電情報格納テーブル２３Ａａの住所２３Ａａ１に基づき、輪番停電グープ名２３Ａａ２を取り込む。Ａビルの輪番停電グループ名２３Ｂａ２に１Ａ、１Ｂ、Ｃビル輪番停電グループ名２３Ｂａ２に１Ａ、１Ｂとなる輪番停電情報仮登録テーブル２３Ｂａを作成し、輪番停電グループを仮設定する（ステップＳＢ３ ）。このとき、テーブル２３Ｂａの輪番停電グループ登録プラグ２３ＢａはコードＯとなる。                                  次に、監視しているＡビルで停電が発生し（ステップＳＡ１）、端末装置１１Ａは停電したことを入力電圧の有無にて検知し（ステップＳＡ２）、一般電話回線４を介して監視センター２Ａへ通報する（ステップＳＡ３）。
【００２３】
監視センター２Ａの回線制御装置２１は、端末装置１１ＡからのＡビルの停電発生情報を受信すると（ステップＳＢ４）、制御装置２２内の輪番停電グループ設定部２２Ａが、記憶装置２３内の停電情報格納部２３Ｂにある輪番停電情報仮設定テーブル２３ＢａのＡビルの輪番停電グループ名２３Ｂａ３と、記憶装置２３内の輪番停電情報格納部２３Ａに記憶される輪番停電情報格納テーブル２３Ａａの輪番停電グループ名２３Ａａ２と一致した輪番停電時間帯（１）２３Ａａ３、輪番停電時間帯（２）２３Ａａ４を取得し、受信した停電情報の停電発生時刻が輪番停電時間帯内に受信したかを判定する（ステップＳＢ５）。
【００２４】
Ａピルの停電発生時刻が輪番停電時間帯内であるため、前記停電発生情報を記憶装置２３内の停電情報格納部２３Ｂに記憶される停電情報を管理する図６に示す停電情報テ−プル２３Ｂｃの停電発生時刻２３Ｂｃ２に停電発生時刻を書き込む（ステップＳＢ６）。
【００２５】
ここで、停電情報を管理する停電情報テーブル２３Ｂｃの構成は、ビル名称２３Ｂｃ１と停電発生時刻２３Ｂｃ２と停電復|日時刻２３Ｂｃ３で構成され、停電発生時刻２３Ｂｃ２は該当のビルで停電が発生した時刻で、停電復旧時刻２３Ｂｃ３は停電から復旧した時刻が書き込まれる。
【００２６】
次に、監視しているＡビルで停電から復旧し（ステップＳＡ４）、端末装置１１Ａ、１２Ａは復旧したことを入力電圧の有無にて検知し（ステップＳＡ５)、一般電話回線４を介して監視センター２Ａへ通報する（ステップＳＡ６ ）。
【００２７】
次に、監視センター２Ａの回線制御装置２１は、端末装置１１Ａからの停電復旧情報を受信すると（ステップＳＢ７）、制御装置２２を介して記憶装置２３内の停電情報格納部２３Ｂに記憶される停電情報テーブル２３Ｂｃの停電復旧時刻２３Ｂｃ３に停電復旧時刻を書き込む（ステップＳＢ８）。
【００２８】
次に、制御装置２２内の輪番停電グループ設定部２２Ａが、記憶装置２３内の停電情報格納部２３Ｂにある輪番停電情報仮設定テーブル２３ＢａのＡビルの輪番停電グループ名２３Ｂａ３と、記憶装置２３内の輪番停電情報格納部２３Ａに記憶される輪番停電情報格納テーブル２３Ａａの輪番停電グループ名２３Ａａ２と一致した輪番停電時間帯（１）２３Ａａ３、輪番停電時間帯（２）２３Ａａ４を取得し、記憶装置２３内の停電情報格納部２３Ｂに記憶される停電情報テーブル２３Ｂｃの停電復旧時刻２３Ｂｃ３が輪番停電時間帯内であるかを判定する（ステップＳＢ９）。
【００２９】
Ａビルの停電復旧時刻が輪番停電時間帯内であるため、輪番停電解除による停電復旧と判定しい輪番停電情報仮登録テーブル２３Ｂａの輪番停電グループ名２３Ｂａの該当しない輪番停電グループを削除する（ステップＳＢ１０）。
【００３０】
ステップＳＢ１０にて輪番停電グループ名を削除した輪番停電情報仮登録テーブル２３Ｂａは、輪番停電グループ登録プラグ２３Ｂａ４をコード１に書き換え、輪番停電情報本登録テーブル２３Ｂｂに更新し、輪番停電グループの特定を完了する（ステップＳＢ１１）。
【００３１】
次に、端末装置１２Ａから受信した停電発生情報が輪番停電時間帯内に受信していないと判定されると（ステップＳＢ５）、制御装置２２内の輪番停電グループ設定部２２Ａが受信した停電発生情報の対象のビルと同一丁名で輪番停電グループ登録プラグがコード１の本登録になっているビルがあるか判定する（ステップＳＢ１２）。同一丁名で本登録になっているビルの、輪番停電情報本登録テーブル２３Ｂｂの輪番停電グループ名２３Ｂｂ３を、輪番停電情報仮登録テーブル２３ＢｂのＢビルの輪番停電グループ名２３Ｂａ３から削除する（ステップＳＢ１３）
ステップＳＢ１３にて輪番停電グループ名を削除した輪番停電情報仮登録テーブル２３Ｂａは、輪番停電グループ登録プラグ２３Ｂａ４をコード１に書き換え、輪番停電情報本登録テーブル２３Ｂｂに更新し、輪番停電グループの特定を完了する（ステップＳＢ１５）。
【００３２】
次に、端末装置１２Ａから受信した停電発生情報が輪番停電時間帯内に受信していないと判定されると（ステップＳＢ５)、制御装置２２内の輪番停電グループ設定部２２Ａが停電発生情報の対象のビルと同一丁名で輪番停電グループ登録プラグがコード１の本登録になっているビルがあるか判定する（ステップＳＢ１２)。
【００３３】
同一丁名で本登録になっているビルが存在しないため、受信した停電情報は異常による停電と判断し、処理を終了する（ステップＳＢ１４）。
【００３４】
以上説明したように、本実施形態例に係る遠隔監視システムでは、停電情報を受信した場合に、事前に登録した輪番停電情報の輪番停電発生時間帯と端末装置１１Ａ、１２Ａから受信した停電及び復旧した時間に基づいて輪番停電グループを自動的に特定できるようにしてあるため、停電情報に対して輪番停電か否かの特定を正確に行うことができる。
【００３５】
また、輪番停電か否かの判断を正確に行うことができるため、無駄な停電復旧指示を軽減することができる。
【００３６】
また、事前に登録した輪番停電情報の輪番停電発生時間帯と端末装置１１Ａ、１２Ａから受信した停電及び復旧した時間に基づいて輪番停電グループを特定するため、同一丁目名に配電系統が複数存在して一つのビルに対して、複数の輪番停電グループがある場合でも特定が可能である。
【符号の説明】
【００３７】
１Ａ    監視エリア
２Ａ    監視センター
３      汎用ＰＣ
４      通信回線
１１Ａ〜１２Ａ  端末装置
２１    回線制御装置
２２    制御装置
２２Ａ  輪番停電グループ設定部
２３    記憶装置
２３Ａ  輪番停電情報格納部
２３Ｂ  停電情報格納部
【図１】
2013102261.tif 000003
【図２】
2013102261.tif 000004
【図３】
2013102261.tif 000005
【図４】
2013102261.tif 000006
【図５】
2013102261.tif 000007
【図６】
2013102261.tif 000008